(57)【要約】【課題】広い周波数帯域においてノイズ対策効果が高い複合フェライトコア及び雑音電流吸収具を提供すること。【解決手段】第１の貫通孔１１を有する第１のフェライトコア７と、第２の貫通孔１３を有し、前記第１のフェライトコア７よりも透磁率が低い第２のフェライトコア９と、を含み、前記第１のフェライトコア７における前記第１の貫通孔１１の軸方向での厚みＬ１と、前記第２のフェライトコア９における前記第２の貫通孔１３の軸方向での厚みＬ２との比率が、６：４〜９：１の範囲内にあることを特徴とする複合フェライトコア１。【選択図】図１
2014096538.tif 000002
【特許請求の範囲】
【請求項１】
第１の貫通孔を有する第１のフェライトコアと、
第２の貫通孔を有し、前記第１のフェライトコアよりも透磁率が低い第２のフェライトコアと、
を含み、  
前記第１のフェライトコアにおける前記第１の貫通孔の軸方向での厚みＬ１と、前記第２のフェライトコアにおける前記第２の貫通孔の軸方向での厚みＬ２との比率が、６：４〜９：１の範囲内にあることを特徴とする複合フェライトコア。
【請求項２】
前記第１のフェライトコアの透磁率が３０００〜１５０００の範囲内にあり、前記第２のフェライトコアの透磁率が１００〜２０００の範囲内にあることを特徴とする請求項１に記載の複合フェライトコア。
【請求項３】
前記第１のフェライトコアが、前記第１の貫通孔を中心とする環形状を有するとともに、前記第２のフェライトコアが、前記第２の貫通孔を中心とする環形状を有することを特徴とする請求項１又は２に記載の複合フェライトコア。
【請求項４】
請求項１〜３のいずれか１項に記載の複合フェライトコアと、
前記第１の貫通孔及び前記第２の貫通孔が同軸となるように前記複合フェライトコアを収納する筐体と、を備えることを特徴とする雑音電流吸収具。
【請求項５】
前記筐体に収容された前記第１のフェライトコアと前記第２のフェライトコアとの間に隙間を有することを特徴とする請求項４に記載の雑音電流吸収具。
【発明の詳細な説明】
【技術分野】
【０００１】
本発明は、複合フェライトコア及び雑音電流吸収具に関する。
【背景技術】
【０００２】
従来、電線を流れる雑音電流を吸収する雑音電流吸収具が知られている。雑音電流吸収具は、環形状のフェライトコアを筐体内に収容した構造を有し、フェライトコアを電線に外挿して使用する。この雑音電流吸収具として、２種のフェライトコアを筐体内に並べたタイプが提案されている（特許文献１参照）。このタイプの雑音吸収具は、単一のフェライトコアを備えるものよりも、ノイズを吸収可能な周波数帯域を広げることができる。
【先行技術文献】
【特許文献】
【０００３】
【特許文献１】特開平５−２９１５２号公報
【発明の概要】
【発明が解決しようとする課題】
【０００４】
しかしながら、従来の雑音電流吸収具は、広い周波数帯域におけるノイズ対策効果が充分ではなかった。本発明は以上の点に鑑みなされたものであり、上記の課題を解決できる複合フェライトコア及び雑音電流吸収具を提供することを一側面とする。
【課題を解決するための手段】
【０００５】
本発明の複合フェライトコアは、第１の貫通孔を有する第１のフェライトコアと、第２の貫通孔を有し、前記第１のフェライトコアよりも透磁率が低い第２のフェライトコアと、を含み、前記第１のフェライトコアにおける前記第１の貫通孔の軸方向での厚みＬ１と、前記第２のフェライトコアにおける前記第２の貫通孔の軸方向での厚みＬ２との比率が、６：４〜９：１の範囲内にあることを特徴とする。
【０００６】
本発明の複合フェライトコアは、Ｌ１とＬ２との比率が、６：４〜９：１の範囲内にあることにより、広い周波数帯域においてノイズ対策効果が高い。
本発明の複合フェライトコアにおいて、例えば、前記第１のフェライトコアの透磁率が３０００〜１５０００の範囲内にあり、前記第２のフェライトコアの透磁率が１００〜２０００の範囲内にあることが好ましい。この場合、広い周波数帯域におけるノイズ対策効果が一層高い。
【０００７】
本発明の複合フェライトコアにおいて、例えば、前記第１のフェライトコアが、前記第１の貫通孔を中心とする環形状を有するとともに、前記第２のフェライトコアが、前記第２の貫通孔を中心とする環形状を有していてもよい。
【０００８】
本発明の雑音電流吸収具は、上述した複合フェライトコアと、前記第１の貫通孔及び前記第２の貫通孔が同軸となるように前記複合フェライトコアを収納する筐体と、を備えることを特徴とする。本発明の雑音電流吸収具は、広い周波数帯域においてノイズ対策効果が高い。
【０００９】
本発明の雑音電流吸収具において、例えば、前記筐体に収容された前記第１のフェライトコアと前記第２のフェライトコアとの間に隙間を有することが好ましい。この場合、広い周波数帯域においてノイズ対策効果が一層高い。
【図面の簡単な説明】
【００１０】
【図１】雑音電流吸収具３の構成を表す分解斜視図である。
【図２】３つの雑音電流吸収具３を連結した状態を表す斜視図である。
【図３】雑音電流吸収具３の側面図である。
【図４】図３におけるＡ−Ａ断面での断面図である。
【図５】挿入損失の測定結果を表すグラフである。
【図６】インピーダンスの測定結果を表すグラフである。
【発明を実施するための形態】
【００１１】
本発明の実施形態を説明する。第１のフェライトコアは各種フェライト材で構成できるが、例えば、Mn-Zn系フェライトにより構成できる。第１のフェライトコアは、第２のフェライトコアよりも、低い周波数のノイズを抑制する効果が高い。
【００１２】
第１のフェライトコアの形状は、例えば、第１の貫通孔を中心とする環形状とすることができる。この環形状として、例えば、円環形状（円筒形）、角型の環形状（角筒形）等が挙げられる。第１の貫通孔の断面形状は特に限定されず、例えば、円形断面、矩形断面等とすることができる。
【００１３】
第１のフェライトコアは、一体のものであってもよいし、複数（例えば２つ）の分割コアから成り、使用時に複数の分割コアを組み合わせて第１のフェライトコアを形成するものであってもよい。分割コアとしては、例えば、中心に貫通孔を有する環状のフェライトを、その貫通孔の軸を含む面、又はそれに平行な面で分割した形状のものが挙げられる。
【００１４】
第２のフェライトコアは各種フェライト材で構成できるが、例えば、Ni-Zn系フェライトまたはMg-Zn系フェライトにより構成できる。第２のフェライトコアは、第１のフェライトコアよりも、高い周波数のノイズを抑制する効果が高い。
【００１５】
第２のフェライトコアの形状は、例えば、第２の貫通孔を中心とする環形状とすることができる。この環形状として、例えば、円環形状（円筒形）、角型の環形状（角筒形）等が挙げられる。第２の貫通孔の断面形状は特に限定されず、例えば、円形断面、矩形断面等とすることができる。
【００１６】
第２のフェライトコアは、一体のものであってもよいし、複数（例えば２つ）の分割コアから成り、使用時に複数の分割コアを組み合わせて第２のフェライトコアを形成するものであってもよい。分割コアとしては、例えば、中心に貫通孔を有する環状のフェライトを、その貫通孔の軸を含む面、又はそれに平行な面で分割した形状のものが挙げられる。
【００１７】
雑音電流吸収具を構成する筐体は、例えば、樹脂（例えば合成樹脂）で形成することができる。筐体内には、第１のフェライトコア及び第２のフェライトコアが、第１の貫通孔及び第２の貫通孔が同軸となるように収納される。筐体に収容された第１のフェライトコアと第２のフェライトコアとの間に隙間を設けることができる。この隙間は、空間（部材が何も存在しない）であってもよいし、筐体の一部であるスペーサ部材により占められていてもよい。また、筐体に収納された第１のフェライトコアと第２のフェライトコアとは接していてもよい。
（実施例）
１．複合フェライトコア１及び雑音電流吸収具３の構成
複合フェライトコア１及び雑音電流吸収具３の構成を図１〜図４に基づき説明する。雑音電流吸収具３は、複合フェライトコア１と、筐体５とから構成される。複合フェライトコア１は、第１のフェライトコア７と、第２のフェライトコア９とから成る。
【００１８】
第１のフェライトコア７は、Mn-Znフェライトから成り、その透磁率は３０００〜１５０００の範囲内にある。第１のフェライトコア７の形状は、中央に第１の貫通孔１１を有する円環形状である。第１のフェライトコア７における第１の貫通孔１１の軸方向での厚みをＬ１とする。
【００１９】
第２のフェライトコア９は、Ni-Zn系フェライトまたはMg-Zn系フェライトから成り、その透磁率は１００〜２０００の範囲内にある。第２のフェライトコア９の形状は、中央に第２の貫通孔１３を有する円環形状である。第２のフェライトコア９における第２の貫通孔１３の軸方向での厚みをＬ２とする。Ｌ１とＬ２との比率は、６：４〜９：１の範囲内にある。
【００２０】
第２のフェライトコア９の大きさを、第１のフェライトコア７の大きさと比較すると、軸方向（第２のフェライトコア９においては第２の貫通孔１３の軸方向、第１のフェライトコア７においては第１の貫通孔１１の軸方向）での厚みのみ異なり、その他の方向（図３における上下方向、左右方向）での大きさは同じである。また、第１の貫通孔１１の直径と第２の貫通孔１３の直径とは同じである。
【００２１】
筐体５は、中央部１５、第１の蓋１７、及び第２の蓋１９から構成される。中央部１５、第１の蓋１７、及び第２の蓋１９は、それぞれ、合成樹脂から成る。中央部１５は、両側が開口し、仕切板２１によって内部空間が２つに仕切られた中空円筒形容器である。
【００２２】
中央部１５の内部のうち、図１において仕切板２１よりも奥側には、中央部１５の外殻２０と仕切板２１とよって区画される空間１５Ａが形成されている。この空間１５Ａは、第１のフェライトコア７を収容する空間であり、その深さは、第１のフェライトコア７の厚みＬ１に応じて設定されている。
【００２３】
また、中央部１５の内部のうち、図１において仕切板２１よりも手前側には、中央部１５の外殻２０と仕切板２１とよって区画される空間１５Ｂが形成されている。この空間１５Ｂは、第２のフェライトコア９を収容する空間であり、その深さは、第２のフェライトコア９の厚みＬ２に応じて設定されている。仕切板２１の両側には、それぞれ、中空円筒形の内挿筒２３が突出している。仕切板２１のうち、内挿筒２３の内側は切り欠かれて孔２５となっている。
【００２４】
また、中央部１５は、外殻２０から外側に向けて突出した一対の脚部２７、２９を備えており、それらにはそれぞれ、ネジ孔３１が形成されている。さらに、中央部１５は、外殻２０よりも外側において、厚み方向（図３において紙面に直交する方向）に沿って中央部１５を貫通する３つの連結孔３３を有している。
【００２５】
第１の蓋１７は、中央に円形の孔３５が設けられた円盤状の蓋本体３７と、その片面における外周に設けられた筒状の側面部３９と、孔３５の周辺に設けられ、側面部３９と同じ側に突出した内挿筒４１とから成る。
【００２６】
第２の蓋１９は、中央に円形の孔４３が設けられた円盤状の蓋本体４５と、その片面における外周に設けられた筒状の側面部４７と、孔４３の周辺に設けられ、側面部４７と同じ側に突出した内挿筒４９とから成る。
【００２７】
第１のフェライトコア７は、中央部１５の空間１５Ａに収納される。このとき、内挿筒２３が第１の貫通孔１１内に内挿され、第１のフェライトコア７の位置を規定する。その後、第１の蓋１７により、空間１５Ａを閉じる。このとき、側面部３９は、第１のフェライトコア７の外周面と、外殻２０との間に挿入される。また、内挿筒４１は、第１のフェライトコア７の内周面と、内挿筒２３との間に挿入される。よって、第１の蓋１７により、第１のフェライトコア７の位置が規定される。
【００２８】
第２のフェライトコア９は、中央部１５の空間１５Ｂに収納される。このとき、内挿筒２３が第２の貫通孔１３内に内挿され、第２のフェライトコア９の位置を規定する。その後、第２の蓋１９により、空間１５Ｂを閉じる。このとき、側面部４７は、第２のフェライトコア９の外周面と、外殻２０との間に挿入される。また、内挿筒４９は、第２のフェライトコア９の内周面と、内挿筒２３との間に挿入される。よって、第２の蓋１９により、第２のフェライトコア９の位置が規定される。
【００２９】
完成した雑音電流吸収具３においては、孔３５、第１の貫通孔１１、孔２５、第２の貫通孔１３、及び孔４３から成る連続した孔が形成され、この孔がケーブルの挿通孔となる。また、雑音電流吸収具３において、第１のフェライトコア７及び第２のフェライトコア９は、間に仕切板２１を挟んで配置され、第１の貫通孔１１及び第２の貫通孔１３は同軸となっている。
【００３０】
図２に示すように、複数の雑音電流吸収具３を、連結孔３３が一直線となるように並べておき、連結孔３３に連結用ネジを刺し通すことで、複数の雑音電流吸収具３を連結することができる。また、ネジ孔３１を用いて、雑音電流吸収具３を他の部材にネジ止めすることができる。
２．複合フェライトコア１及び雑音電流吸収具３が奏する効果
Ｌ１とＬ２との比率が６：４、７：３、８：２、９：１の場合のそれぞれについて、雑音電流吸収具３（複合フェライトコア１）の挿入損失と、インピーダンスとを測定した。また、比較例として、第１のフェライトコア７のみを使用した場合、及び第２のフェライトコア９のみを使用した場合についても、同様に測定を行った。なお、いずれの場合においても、Ｌ１とＬ２との合計厚みは一定とした。
【００３１】
測定結果を図５及び図６に示す。なお、図５及び図６において、Ｌ１とＬ２との比率が６：４、７：３、８：２、９：１の場合をそれぞれ、「６：４」、「７：３」、「８：２」、「９：１」と表記する。また、第１のフェライトコア７のみを使用した場合、及び第２のフェライトコア９のみを使用した場合をそれぞれ、「１０：０」、「０：１０」と表記する。
【００３２】
図５及び図６の測定結果から明らかなように、Ｌ１とＬ２との比率が６：４〜９：１の場合は、広い周波数帯域においてノイズ抑制効果が高いことが確認できた。
一方、第１のフェライトコア７のみを使用した場合、及び第２のフェライトコア９のみを使用した場合は、特定の狭い周波数帯域でしか、ノイズ抑制効果を得ることができなかった。
【００３３】
尚、本発明は前記実施例になんら限定されるものではなく、本発明を逸脱しない範囲において種々の態様で実施しうることはいうまでもない。
例えば、複合フェライトコア１は、３以上のフェライトコアから成るものであってもよい。この場合、３以上のフェライトコアから選択した２つのフェライトコアを第１のフェライトコア及び第２のフェライトコアとして、その２つのフェライトコアについて、Ｌ１：Ｌ２が、６：４〜９：１の範囲内にあればよい。この場合でも、前記実施例と略同様の効果を奏することができる。
【符号の説明】
【００３４】
１・・・複合フェライトコア、３・・・雑音電流吸収具、５・・・筐体、
７・・・第１のフェライトコア、９・・・第２のフェライトコア、
１１・・・第１の貫通孔、１３・・・第２の貫通孔、
１５・・・中央部、１５Ａ、１５Ｂ・・・空間、１７・・・第１の蓋、
１９・・・第２の蓋、２０・・・外殻、２１・・・仕切板、
２３・・・内挿筒、２５・・・孔、２７、２９・・・脚部、
３１・・・ネジ孔、３３・・・連結孔、３５、４３・・・孔、
３７、４５・・・蓋本体、３９、４７・・・側面部、４１、４９・・・内挿筒
【図１】
2014096538.tif 000003
【図２】
2014096538.tif 000004
【図３】
2014096538.tif 000005
【図４】
2014096538.tif 000006
【図５】
2014096538.tif 000007
【図６】
2014096538.tif 000008